(57)【特許請求の範囲】
【請求項１】
基板部とこの基板部の左右に連設される左右側板部とから成る矢板に管体を配設するための装置であって、前記矢板をガイドとして該矢板の長さ方向に移動自在となる移動体を有し、この移動体は、前記矢板の左右側板部に添設状態となる左右部とこの左右部間に架設される架設部とから成り、前記移動体には、前記管体の端部を受ける管体受部が設けられていることを特徴とする矢板用管体配設装置。
【請求項２】
矢板に管体を配設するための装置であって、前記矢板をガイドとして該矢板の長さ方向に移動自在となる移動体を有し、この移動体には、前記管体の端部を受ける管体受部が設けられ、この管体受部は、前記移動体に受け凹部を設けて構成されていることを特徴とする矢板用管体配設装置。
【請求項３】
矢板に管体を配設するための装置であって、前記矢板をガイドとして該矢板の長さ方向に移動自在となる移動体を有し、この移動体には、前記管体の端部を受ける管体受部が設けられ、更に、前記移動体には握持部が設けられていることを特徴とする矢板用管体配設装置。
【請求項４】
請求項１〜３いずれか１項に記載の矢板用管体配設装置において、前記矢板は、前記基板部とこの基板部の左右に傾斜連設される左右側板部とから成るものであることを特徴とする矢板用管体配設装置。
【請求項５】
請求項１〜４いずれか１項に記載の矢板用管体配設装置において、前記左右部夫々に前記管体受部が設けられていることを特徴とする矢板用管体配設装置。
【請求項６】
請求項１〜５いずれか１項に記載の矢板用管体配設装置において、前記左右部及び前記架設部には前記矢板に当接して転動する転動体が設けられていることを特徴とする矢板用管体配設装置。
【請求項７】
請求項１〜６いずれか１項に記載の矢板用管体配設装置において、前記管体は、加圧流体を噴射しながら地盤に前記矢板を打ち込む際に用いる高圧流体噴射用管体であることを特徴とする矢板用管体配設装置。
【請求項８】
矢板に管体を配設する方法であって、吊り下げ状態とした前記管体の下端部を、横設状態の前記矢板の一端側に位置させた移動体に配し、この状態で前記移動体を前記矢板をガイドとして該矢板の他端側へ移動させるとともに前記管体の上端部を降下させ、前記管体を前記矢板に沿設状態に配設することを特徴とする矢板への管体配設方法。
【請求項９】
請求項８記載の矢板への管体配設方法において、前記移動体には、前記管体の端部を受ける管体受部が設けられていることを特徴とする矢板への管体配設方法。
【請求項１０】
請求項８，９いずれか１項に記載の矢板への管体配設方法において、前記矢板は、基板部とこの基板部の左右に連設される左右側板部とから成るものであり、前記移動体は、前記矢板の左右側板部に添設状態となる左右部とこの左右部間に架設される架設部とから成ることを特徴とする矢板への管体配設方法。
【請求項１１】
請求項８〜１０いずれか１項に記載の矢板への管体配設方法において、前記矢板は、基板部とこの基板部の左右に傾斜連設される左右側板部とから成るものであることを特徴とする矢板への管体配設方法。
【請求項１２】
請求項１０，１１いずれか１項に記載の矢板への管体配設方法において、前記左右部夫々に前記管体受部が設けられていることを特徴とする矢板への管体配設方法。
【請求項１３】
請求項１０〜１２いずれか１項に記載の矢板への管体配設方法において、前記左右部及び前記架設部には前記矢板に当接して転動する転動体が設けられていることを特徴とする矢板への管体配設方法。
【請求項１４】
請求項８〜１３いずれか１項に記載の矢板への管体配設方法において、前記管体受部は、前記移動体に受け凹部を設けて構成されていることを特徴とする矢板への管体配設方法。
【請求項１５】
請求項８〜１４いずれか１項に記載の矢板への管体配設方法において、前記移動体には握持部が設けられていることを特徴とする矢板への管体配設方法。
【請求項１６】
請求項８〜１５いずれか１項に記載の矢板への管体配設方法において、前記管体は、加圧流体を噴射しながら地盤に前記矢板を打ち込む際に用いる高圧流体噴射用管体であることを特徴とする矢板への管体配設方法。
【発明の詳細な説明】
【技術分野】
【０００１】
本発明は、例えば矢板に高圧流体噴射用管体を配設するための矢板用管体配設装置及び矢板への管体配設方法に関するものである。
【背景技術】
【０００２】
従来から、矢板を振動させたり殴打したりすることで地盤に打ち込む矢板打ち込み工法として、例えば実用新案登録第３１６５５７９号に開示されるようなウオータージェットを併用した矢板打込み工法（以下、従来法）が提案されている。
【０００３】
具体的には、この従来法は、これから打ち込もうとする矢板に、高圧水を噴射する管体を該管体の先端噴射口部が矢板の先端部に位置する沿設状態とし、この状態でクレーン（クローラークレーン）により矢板を吊り下げ状態として地盤の打ち込み位置に配し、矢板の基端部に配設したバイブロハンマで矢板を振動させるとともに管体の先端噴射口部から高圧水を噴射して矢板を地盤に打ち込む工法である。
【０００４】
この管体から噴射する高圧水により、矢板先端付近の土砂や泥水が吹き飛ばされ且つ地盤に対する矢板の接触摩擦が低減されるため矢板が円滑に打ち込まれる。尚、通常、一枚の矢板の左右側部に複数（一対）の管体が配設されるのが一般的であり、これら管体の基端部には高圧水供給源から延設される高圧水供給ホースが接続される。
【０００５】
続いて、地盤に対する矢板の打ち込み作業が終了した後、クレーンを作動させることで管体を地盤から引き抜き、この引き抜いた管体を次に打ち込む矢板に配設して同様な打ち込み作業を繰り返す。
【先行技術文献】
【特許文献】
【０００６】
【特許文献１】実用新案登録第３１６５５７９号公報
【発明の概要】
【発明が解決しようとする課題】
【０００７】
ところで、この従来法は、河川護岸や止水壁を形成する際など、比較的長い（数十メートルにも及ぶ）矢板を地盤深くまで打ち込む際に用いられるが、この長い矢板に対して該矢板と略同じ長さで、しかも、複数本の管体を配設する作業は非常に厄介である。
【０００８】
即ち、実際に矢板の左右側部に一対の管体を沿設状態に配設する場合、クレーンで吊り下げ状態とした一対の管体夫々の先端部を、地面に置かれた矢板を挟んで左右対向位置に立った二人の作業者が持ち、続いて、この各作業者が矢板の先端部方向へ移動しながらクレーンを作動させて管体の基端部を降下させ、管体の先端部を矢板の先端部（矢板を吊り下げた際の下端部）に配される位置まで移動させつつ管体の基端部を降下させると、一対の管体は矢板の左右に沿設状態となる。その後、この管体の先端部及び基端部を適宜な固定手段で矢板に固定することで、矢板への管体の配設作業は完了する。
【０００９】
従って、従来から、この矢板に対する管体の配設作業は、クレーン操縦者の熟練が必要なのは勿論、クレーン操縦者と管体を持って移動する作業者との連係が良好でないと作業能率が悪くなるなど、この管体の移動を迅速に行うのが難しく、しかも、クレーンで吊り下げ状態とした管体を直接手で持って支えながら移動するという作業者の手作業に頼った部分が多い為、労力を要するのは勿論、特にこの管体を持って移動する作業者の安全性が危惧される。
【００１０】
本発明は、前述した問題点を解消する、従来にない作用効果を発揮する画期的な矢板用管体配設装置及び矢板への管体配設方法を提供するものである。
【課題を解決するための手段】
【００１１】
添付図面を参照して本発明の要旨を説明する。
【００１２】
基板部21ａとこの基板部21ａの左右に連設される左右側板部21ｂ・21ｂとから成る矢板21に管体22を配設するための装置であって、前記矢板21をガイドとして該矢板21の長さ方向に移動自在となる移動体１を有し、この移動体１は、前記矢板21の左右側板部21ｂ・21ｂに添設状態となる左右部１ｂ・１ｂとこの左右部１ｂ・１ｂ間に架設される架設部１ａとから成り、前記移動体１には、前記管体22の端部を受ける管体受部２が設けられていることを特徴とする矢板用管体配設装置に係るものである。
【００１３】
また、矢板21に管体22を配設するための装置であって、前記矢板21をガイドとして該矢板21の長さ方向に移動自在となる移動体１を有し、この移動体１には、前記管体22の端部を受ける管体受部２が設けられ、この管体受部２は、前記移動体１に受け凹部を設けて構成されていることを特徴とする矢板用管体配設装置に係るものである。
【００１４】
また、矢板21に管体22を配設するための装置であって、前記矢板21をガイドとして該矢板21の長さ方向に移動自在となる移動体１を有し、この移動体１には、前記管体22の端部を受ける管体受部２が設けられ、更に、前記移動体１には握持部４が設けられていることを特徴とする矢板用管体配設装置に係るものである。
【００１５】
また、請求項１〜３いずれか１項に記載の矢板用管体配設装置において、前記矢板21は、前記基板部21ａとこの基板部21ａの左右に傾斜連設される左右側板部21ｂ・21ｂとから成るものであることを特徴とする矢板用管体配設装置に係るものである。
【００１６】
また、請求項１〜４いずれか１項に記載の矢板用管体配設装置において、前記左右部１ｂ・１ｂ夫々に前記管体受部２が設けられていることを特徴とする矢板用管体配設装置に係るものである。
【００１７】
また、請求項１〜５いずれか１項に記載の矢板用管体配設装置において、前記左右部１ｂ・１ｂ及び前記架設部１ａには前記矢板21に当接して転動する転動体３が設けられていることを特徴とする矢板用管体配設装置に係るものである。
【００１８】
また、請求項１〜６いずれか１項に記載の矢板用管体配設装置において、前記管体22は、加圧流体を噴射しながら地盤Ｅに前記矢板21を打ち込む際に用いる高圧流体噴射用管体であることを特徴とする矢板用管体配設装置に係るものである。
【００１９】
また、矢板21に管体22を配設する方法であって、吊り下げ状態とした前記管体22の下端部を、横設状態の前記矢板21の一端側に位置させた移動体１に配し、この状態で前記移動体１を前記矢板21をガイドとして該矢板21の他端側へ移動させるとともに前記管体22の上端部を降下させ、前記管体22を前記矢板21に沿設状態に配設することを特徴とする矢板への管体配設方法に係るものである。
【００２０】
また、請求項８記載の矢板への管体配設方法において、前記移動体１には、前記管体22の端部を受ける管体受部２が設けられていることを特徴とする矢板への管体配設方法に係るものである。
【００２１】
また、請求項８，９いずれか１項に記載の矢板への管体配設方法において、前記矢板21は、基板部21ａとこの基板部21ａの左右に連設される左右側板部21ｂ・21ｂとから成るものであり、前記移動体１は、前記矢板21の左右側板部21ｂ・21ｂに添設状態となる左右部１ｂ・１ｂとこの左右部１ｂ・１ｂ間に架設される架設部１ａとから成ることを特徴とする矢板への管体配設方法に係るものである。
【００２２】
また、請求項８〜１０いずれか１項に記載の矢板への管体配設方法において、前記矢板21は、基板部21ａとこの基板部21ａの左右に傾斜連設される左右側板部21ｂ・21ｂとから成るものであることを特徴とする矢板への管体配設方法に係るものである。
【００２３】
また、請求項１０，１１いずれか１項に記載の矢板への管体配設方法において、前記左右部１ｂ・１ｂ夫々に前記管体受部２が設けられていることを特徴とする矢板への管体配設方法に係るものである。
【００２４】
また、請求項１０〜１２いずれか１項に記載の矢板への管体配設方法において、前記左右部１ｂ・１ｂ及び前記架設部１ａには前記矢板21に当接して転動する転動体３が設けられていることを特徴とする矢板への管体配設方法に係るものである。
【００２５】
また、請求項８〜１３いずれか１項に記載の矢板への管体配設方法において、前記管体受部２は、前記移動体１に受け凹部を設けて構成されていることを特徴とする矢板への管体配設方法に係るものである。
【００２６】
また、請求項８〜１４いずれか１項に記載の矢板への管体配設方法において、前記移動体１には握持部４が設けられていることを特徴とする矢板への管体配設方法に係るものである。
【００２７】
また、請求項８〜１５いずれか１項に記載の矢板への管体配設方法において、前記管体22は、加圧流体を噴射しながら地盤Ｅに前記矢板21を打ち込む際に用いる高圧流体噴射用管体であることを特徴とする矢板への管体配設方法に係るものである。
【発明の効果】
【００２８】
本発明は上述のように構成したから、矢板への管体の配設作業を少力化でき、しかも、迅速且つ安全に行えることになり、ひいては矢板の打ち込み作業の作業効率も向上させることができるなど、従来にない作用効果を発揮する画期的な矢板用管体配設装置及び矢板への管体配設方法となる。
【図面の簡単な説明】
【００２９】
【図１】本実施例を示す斜視図である。
【図２】本実施例を示す正面図である。
【図３】本実施例を示す説明斜視図である。
【図４】矢板に対する管体の配設状態の説明図である。
【図５】本実施例に係る矢板への管体配設方法の説明図である。
【図６】本実施例に係る矢板への管体配設方法の説明図である。
【図７】本実施例に係る矢板への管体配設方法の説明図である。
【図８】矢板の打ち込み工法の説明図である。
【図９】矢板の打ち込み工法の説明図である。
【発明を実施するための形態】
【００３０】
好適と考える本発明の実施形態を、図面に基づいて本発明の作用を示して簡単に説明する。
【００３１】
矢板21に対して管体22を配設する場合、例えば、移動体１を地面に置いた矢板21の基端部に位置させた状態とし、この移動体１の管体受部２に例えばクレーンで吊り下げ状態とした管体22の先端部（吊り下げ下端部）を配し、この状態で移動体１を矢板21をガイドとして該矢板21の先端部へ移動させるとともに管体22の基端部（吊り下げ上端部）を降下させると、管体22は矢板21に対して徐々に倒れ動して当該矢板21に沿設状態に配設される。
【００３２】
従って、従来から矢板21に対して管体22を配設する際に厄介とされてきた作業、即ち、吊り下げ状態とした管体22の先端部を矢板21の先端部へ移動させる作業が、管体22を移動体１に支持させた状態とし、この移動体１を矢板21をガイドにスムーズに移動させるという作業で済み、しかも、作業者の負担を可及的に低減した状態で行われることになる為、矢板21への管体22の配設作業を少力化でき、しかも、迅速且つ安全に行えることになり、ひいては矢板の打ち込み作業の作業効率も向上することができる。
【実施例】
【００３３】
本発明の具体的な実施例について図面に基づいて説明する。
【００３４】
本実施例は、矢板21に管体22を配設するための矢板用管体配設装置である。
【００３５】
本実施例における矢板21は、例えば河川護岸や止水壁を形成する際などに地盤Ｅに打ち込まれる公知のハット形鋼矢板である。
【００３６】
具体的には、矢板21は、図２，３に図示したように、基板部（ウェブ）21ａとこの基板部21ａの左右に傾斜連設される左右側板部（フランジ）21ｂ・21ｂとから成る形状（横断面ハット形状）である。この矢板21の形状は、例えば横断面Ｕ字形状や横断面Ｖ字形状や横断面コ字形状や横断面Ｃ字形状などでも良く、この矢板21の形状に応じて後述する移動体１の形状を適宜設計するものである。更に、矢板21は単なる平板状のものでも良く、要は凹条や凸条を有して移動体１をガイドするものであれば良い。符号21ｃは隣接する矢板21と係合連結するための連結端部、21ｄは管体22の先端部を貫挿して固定する管体固定部である。
【００３７】
管体22は、流体供給源（図示省略）から供給される加圧流体Ｌ（加圧水）を噴射しながら地盤Ｅに矢板21を打ち込む際に用いる公知の高圧流体噴射用管体である。
【００３８】
具体的には、管体22は、図３〜９に図示したように適宜な金属製の部材で形成されたものであり、本実施例では一対の管体22が間隔を介して平行状態に設けられ、この各管体22の基端部同士は一つに連設されて流体供給源から延設される流体供給パイプ23が接続されている。尚、管体22の本数は矢板21の巾や形状に応じて１本でも３本以上でも適宜増減変更される。
【００３９】
また、この各管体22の基端部同士の連設部には、矢板21に図示省略のボルト連結手段を介して連結される連結部材24が設けられており、更に、この連結部材24の上端部には矢板21に振動を付与する公知のバイブロハンマ25が連結される。
【００４０】
符号22ａは高圧流体Ｌを噴射する先端噴射口部である。
【００４１】
以下、本実施例に係る矢板用管体配設装置の構成各部について詳細な説明をする。
【００４２】
この本実施例に係る矢板用管体配設装置は、矢板21をガイドとして該矢板21の長さ方向に移動自在となる移動体１を有し、この移動体１には、管体22の端部を受ける管体受部２が設けられたものである。
【００４３】
移動体１は、図１，２に図示したように適宜な金属製の板材で形成したものであり、矢板21の外周面部に被嵌するように構成されている。
【００４４】
具体的には、矢板21の外周面部に被嵌させた際、矢板21の左右側板部21ｂ・21ｂに添設状態となる左右部１ｂ・１ｂと、この左右部１ｂ・１ｂ間に架設され矢板21の基板部21ａに沿設状態となる架設部１ａとから成る。
【００４５】
尚、移動体１は、例えば肉抜き穴を設けたり材質の選定により適宜軽量化し得るものであり、また、移動体１は管体22を矢板21の内周面部に配設する場合に対応して矢板21の内周面部に嵌合する構造でも良い。
【００４６】
また、移動体１の左右部１ｂ・１ｂ及び架設部１ａには矢板21に当接して転動する転動体３が設けられている。
【００４７】
この転動体３は、図１，２に図示したように適宜な金属製の車輪であり、左右部１ｂ・１ｂ夫々には前後位置に計２個、架設部１ａには前後左右位置に計４個設けられている。
【００４８】
従って、この転動体３が矢板21の外周面を転動することで、移動体１は矢板21にガイドされた状態で矢板21の長さ方向に移動することができる。尚、転動体３は車輪に限らず球状体でも良い。
【００４９】
また、この移動体１には、管体22の端部を受ける管体受部２が設けられている。
【００５０】
この管体受部２は、図１，２に図示したように移動体１の左右部１ｂ・１ｂ夫々に金属製の屈曲板材から成る受け凹部を設けて構成されている。
【００５１】
従って、この移動体１の左右に設けた管体受部２で一対の管体22の先端部を受けることができる。尚、管体受部２は管体22の先端噴射口部22ａに挿入して受ける受け凸部（傾動式）を設けて構成しても良い。
【００５２】
また、移動体１には握持部４が設けられている。
【００５３】
この握持部４は、図１，２に図示したように架設部１ａの上面左右位置に金属製のコ字状部材を一対設けて構成されている。
【００５４】
従って、この握持部４を握持して、矢板21に対して移動体１をさせたり、矢板21に移動体１を配設する際や矢板21から移動体１を撤去したりする際に利用される。
【００５５】
尚、本実施例では、矢板21に対する移動体１は、作業者による人力であったり、クレーン26の作動によって移動する管体22の押込み力によって行われる構成であるが、適宜な動力源を設けて自走する構成としても良い。
【００５６】
以上の構成から成る本実施例に係る矢板用管体配設装置を用いた矢板21への管体22の配設方法について説明する。
【００５７】
先ず、移動体１を地面に置いた矢板21の基端部に位置させた状態とし、この移動体１の左右の管体受部２夫々にクレーン26で吊り下げ状態とした管体22夫々の先端噴射口部22ａを配する（図５参照）。この際、管体22は、クレーン26の作動により昇降自在に設けられた吊下げフック26ａから垂設されるワイヤー27を介して吊り下げられる（ワイヤー27は連結部材24に連結される）。尚、バイブロハンマ25は、クレーン26の作動により昇降自在に設けられた別の吊下げフック26ｂに吊り下げられ、矢板21を地盤Ｅへの打ち込み位置に立設状態で配した後、連結部材24の上端部に連結される。
【００５８】
続いて、この状態で移動体１を矢板21をガイドとして該矢板21の先端部へ移動させるとともに、クレーン26を下げることで管体22の基端部（吊り下げ上端部）を降下させると、管体22は矢板21に対して徐々に倒れ動して当該矢板21に沿設状態に配設される（図６参照）。
【００５９】
続いて、移動体１を矢板21から撤去し、管体22夫々の先端部を管体固定部21ｄに貫挿するとともに連結部材24を矢板21の基端部に連結することで、矢板21に対する一対の管体22の配設は完了する。
【００６０】
その後、クレーン26を作動させて矢板21を吊り下げ状態とし、矢板21を地盤Ｅへの打ち込み位置に立設状態で配した後、バイブロハンマ25を連結部材24に連結し、この状態で矢板21の基端部に配設したバイブロハンマ25で矢板21を振動させるとともに管体22の先端噴射口部22ａから高圧流体Ｌ（高圧水）を噴射して地盤Ｅに矢板21を打ち込むことになる（図８参照）。
【００６１】
続いて、地盤Ｅに対する矢板21の打ち込み作業が終了した後、吊下げフック26ａを上昇させることで管体22を地盤Ｅから引き抜き、この引き抜いた管体22を次に打ち込む矢板21に配設して同様に打ち込み作業を行う。
【００６２】
本実施例は上述のように構成したから、従来から矢板21に対して管体22を配設する際に厄介とされてきた作業、即ち、吊り下げ状態とした管体22の先端部を矢板21の基端部から先端部へ移動させる作業が、管体22を移動体１に支持させた状態とし、この移動体１を矢板21をガイドにスムーズに移動させるという作業で済み、しかも、作業者の負担を可及的に低減した状態で行われることになる為、矢板21への管体22の配設作業を少力化でき、しかも、迅速且つ安全に行えることになり、ひいては矢板の打ち込み作業の作業効率も向上することができる。本実施例は、前述した従来法に比し、吊り下げ状態の管体22の下方へ作業者が入る機会を可及的に減らすことができて安全である。
【００６３】
また、本実施例は、管体受部２は、移動体１に受け凹部を設けて構成されているから、簡易構造で確実に管体２を受けることができ、しかも、コスト安にして量産性に秀れることになる。
【００６４】
また、本実施例は、左右部１ｂ・１ｂ及び架設部１ａには矢板21に当接して転動する転動体３が設けられているから、矢板21に対する移動体１の円滑な移動が行われることになる。
【００６５】
また、本実施例は、移動体１には握持部４が設けられているから、この握持部４を握持して、矢板21に対して移動体１をさせたり、矢板21に移動体１を配設する際や矢板21から移動体１を撤去したりする作業が良好に行えることになる。
【００６６】
尚、本発明は、本実施例に限られるものではなく、各構成要件の具体的構成は適宜設計し得るものである。
【符号の説明】
【００６７】
１  移動体
１ａ  架設部
１ｂ  左右部
２  管体受部
３  転動体
４  握持部
21  矢板
21ａ  基板部
21ｂ  左右側板部
22  管体
Ｅ 地盤
【図１】
0005863843.tif 000002
【図２】
0005863843.tif 000003
【図３】
0005863843.tif 000004
【図４】
0005863843.tif 000005
【図５】
0005863843.tif 000006
【図６】
0005863843.tif 000007
【図７】
0005863843.tif 000008
【図８】
0005863843.tif 000009
【図９】
0005863843.tif 000010